(57)【特許請求の範囲】
【請求項１】
空気清浄材料を内部に保持してかつ自動車用電気式点火器の内部に挿入されて通電発熱により空気清浄材料を気化させる空気清浄器であって、内部において低電圧抵抗器を含むプリント回路板（８）が主抵抗器（７）に接続されており、プリント回路には空気清浄材料の交換寿命に関するデータを記憶した時限回路が組み込まれていて交換寿命に達したときにはブザーにより警報を発し、プリント回路には装置外に露出するＬＥＤ（９）が接続されていることを特徴とする自動車の空気清浄器。
【請求項２】
装置内部に保持される空気清浄材料の個数に応じてその固定保持用の突起の位置が変更可能であることを特徴とする請求項１に記載の空気清浄器。
【発明の詳細な説明】
【０００１】
【産業上の利用分野】
この発明は自動車の空気清浄器に関するものであり、さらに詳しくは空気清浄材料を内部に保持してかつ自動車用電気式点火器の内部に挿入されて通電発熱により空気清浄材料を気化させる空気清浄器の改良に関するものである。
【０００２】
【発明が解決しようとする課題】
本発明の課題は、上述の種類の清浄器を提供することにある。
【０００３】
【課題を解決するための手段】
上記目的のために、車内に快適な香りを放出し、同時に、タバコまたは車の長時間の閉鎖に帰因する悪臭を除去する物質を気化させるために、車のタバコ点火器の電流を利用する極めて簡単な装置を開発した。この装置は、自然にではなく温度によって強制的に物質を放出するので、可成り効果的に上記目的を果たす事ができる。
【０００４】
即ち、本発明の自動車用の改良された空気清浄器は、錠剤またはゲルの形の空気清浄材料を内部に保持した、電気的に賦活された抵抗器を囲むケーシングによって構成され、電気式点火器の内部に挿入され、この箇所に存在する電流を利用するタイプの、使捨てのまたは再装填できる、自動車用の改良された空気清浄器であって、低電圧抵抗器を含むプリント回路板が主抵抗器に接続されており、そして空気導入用孔および空気清浄錠剤保持用の内部突起がカバーに設けてあることを特徴とする装置である。該装置は、車の電気式点火器の内部に設置するのに適切な寸法のケーシングの内部に挿入される。即ち、該装置は、内部スペースを占有せず、車の上記箇所に得られる電流を利用できる。
【０００５】
電気式点火器と上記装置との間に完全な接続を達成するために、上記装置は、２つの正負の電極を備えており、上記電極は、電気配線によってまたは上記２つの電極の間に設置された各素子の単なる接触によって、相互に接続される。該装置は、電極が点火器の対応する素子と接触するよう構成されており、装置の作動中にＬＥＤが点灯するよう構成されている。
【０００６】
同様に、空気清浄・殺虫物質は、上記ケーシング内に正しく保護される。上記物質は、任意の大きさの錠剤の形またはゲルの形の固体であってよい。
【０００７】
この発明の装置の操作に際しては、自動車の点火器内で空気清浄器を僅かに前後動させてその正負の電極を自動車の電気回路と接続してやればよい。またプリント回路にはＬＥＤが接続されているので、空気清浄器の内部回路が励動されると該ＬＥＤが点灯する。したがって運転者は空気清浄器の状態を外部から確認できるとともに、車内が暗くてもその位置を容易に視認することができる。
【０００８】
改良された本空気清浄器の目的のために、数個の小さい抵抗器を有するプリント回路板に抵抗器を接続するのが本質的である。上記抵抗器は、小さい電圧変化が主抵抗器の寿命にマイナスの影響を与えないよう主抵抗器を保護するのに役立つ。
【０００９】
同様に、空気清浄器を固体状態の錠剤に使用する場合に、任意の大きさの錠剤を使用でき、錠剤の保持のために適切な突起を設け得ることが本質的である。
【００１０】
更に、ユーザが、空気清浄器の有効寿命が終了して清浄器内の物質を交換しなければならないことを知り得るよう、時限装置を含む電気ブザーを上記空気清浄器内に設置する方策を選択できる。この方策によって、当該の装置の正しい使用の保証に関して重要な利点が得られる。
【００１１】
請求項に記載の原理にもとづく自動車用の改良された空気清浄器の実施例を、添付の図面を参照して、以下に詳細に説明する。
【００１２】
【実施例】
図示の如く、自動車用の改良された空気清浄器は、交換自在の錠剤を使用する場合、ケーシング上部１とケーシング下部２と内部の各要素を全体的に囲む閉鎖カバー３とからなる、外部ケーシングを含む。
【００１３】
内部要素は、特に、２つの電極、即ち、正極４と負極５とから構成される。図示の実施例の場合、上記電極は、ワイヤ６によって相互に且つ内部電気素子に接続され、一方、電気素子自体は、抵抗器７およびプリント回路板８を含む。プリント回路板は、特に、若干の小さい保護抵抗器を備えている。更に、上記回路にはＬＥＤ９が接続されている。
【００１４】
製品を含む各錠剤１２を保持するために、装置内壁には若干の突起１０，１１が設けてある。上記突起は、装置に含まれる個数に依存して異なる位置に設置される。装置は、使捨てか、再装填可能であってよく、装置内に３つの錠剤を設置する場合は、中心抵抗器の保護のために、プレートまたは仕切りを設ける。
【００１５】
この発明の装置の重要な特徴は空気清浄材料の交換寿命に達したことをブザーにより警告する点にある。すなわちプリント回路には空気清浄材料の交換寿命に関するデータを記憶した時限回路が組み込まれており、これにブザーが接続されている。したがって交換寿命（一般に有効寿命より短く設定されていると）に達すると、ブザーが励動されて警報を発する。したがって運転者は有効寿命に達する前に空気清浄材料の交換が必要であることを知ることができる。
【００１６】
空気清浄器内の空気の必要な運動を容易にして、含まれる空気清浄物質の蒸気の外部への放出を保証するために、カバー３に若干の孔１４が設けてあり、ケーシングに別の孔１５が設けてある。
【００１７】
【発明の作用および効果】
装置の操作は、極めて簡単である。端子（電極）４，５が点火器の対応する端子と接触するよう、車の点火器に空気清浄器を挿入すれば、抵抗器を賦活する電流が空気清浄器内に形成される。かくして、装置内に設置された空気清浄物質の放出を容易にする若干の熱量が形成される。上記物質は、カバーの孔１４の存在によって形成される空気流によって助成されて、この目的のために設けた孔１４を介して外部へ放出される。かくして、芳香が車内に充満し、車内の空気の特性を向上する。
【００１８】
上述の空気清浄器の本質を保持する限り、任意の設計変更が可能である。
【図面の簡単な説明】
【図１】自動車用の、錠剤使用の改良された空気清浄器の部分切欠立面図である。
【図２】空気清浄器のカバーの範囲の横断面図である。
【図３】３つの錠剤を含む実施例の空気清浄器の部分切欠上面図である。
【図４】空気清浄製品を設置した領域の空気清浄器の横断面図である。
【図５】２つの錠剤を含む別の実施例の上記空気清浄器の図面である。
【図６】図５の横断面図である。
【符号の説明】
１  ケーシング上部
２  ケーシング下部
３  カバー
４，５  電極（端子）
７  抵抗器
８  プリント回路板
１０，１１  突起
１２  錠剤
１４，１５  孔
【図１】
0003686173.tif 000002
【図２】
0003686173.tif 000003
【図３】
0003686173.tif 000004
【図４】
0003686173.tif 000005
【図５】
0003686173.tif 000006
【図６】
0003686173.tif 000007